(57)【特許請求の範囲】
【請求項１】
ボックス（２）内の底面（３）に引き出し方向のレール（５）を取り付けるとともに、このレール（５）の上に機器取り付け用のパネル（６）を引き出し自在に載置し、上記レール（５）に引き出し方向に形成されている長孔（７）に対して上記パネル（６）に取り付けられている頭付きのストッパ（９）の小径部（１６）を移動可能な状態で挿入し、この小径部（１６）の下方の先端に長孔（７）から抜けない大きさの頭部（１０）を設け、上記パネル（６）の下面から上記頭部（１０）までの上記小径部（１６）の長さ（Ｌ）を上記レール（５）の長孔（７）部分の厚みより大きい長さとし、上記パネル（６）の引き出し時の傾きを上記長孔（７）に対する頭部（１０）の当接により規制することを特徴とする制御盤（１）。
【請求項２】
パネル（６）に対し頭付きのストッパ（９）をねじ込むことにより、上記小径部（１６）の長さ（Ｌ）を調整可能とすることを特徴とする請求項１記載の制御盤（１）。
【請求項３】
上記パネル（６）とレール（５）との摺動部分を電気的に導通可能とすることを特徴とする請求項１記載の制御盤（１）。
【発明の詳細な説明】
【０００１】
【発明の技術分野】
本発明は、制御盤の引き出し可能な機器取り付け用のパネルの取り付け構造に関する。
【０００２】
【従来の技術】
分割可能な制御盤では、複数のボックス毎に収納室が形成され、それらの各収納室に対し機器取り付け用のパネルがスライドレールなどにより引き出し可能な状態で取り付けられている。既製の一般的なスライドレールによる引き出し手段によれば、機器取り付け用のパネルが水平方向にしか移動しないため、パネルの奥側の部品や回路の保守・点検の作業に難があった。
【０００３】
【発明の目的】
本発明の目的は、引き出し可能な機器取り付け用のパネルにおいて、簡単な構造により引き出し状態のパネルを下向きに傾斜可能とすることである。
【０００４】
【発明の解決手段】
上記目的のもとに、本発明は、ボックス内の底面に引き出し方向のレールを取り付けるとともに、このレールの上に機器取り付け用のパネルを引き出し自在に載置し、上記レールに引き出し方向に形成されている長孔に対して上記パネルに取り付けられている頭付きのストッパの小径部を移動可能な状態で挿入し、この小径部の下方の先端に長孔から抜けない大きさの頭部を設け、上記パネルの下面から上記頭部までの上記小径部の長さを上記レールの長孔部分の厚みより大きい長さとし、上記パネルの引き出し時の傾きを上記長孔に対する頭部の当接により規制するようにしている。
【０００５】
そして、頭付きのストッパは、上記パネルに対してねじ込むことにより、上記小径部の長さを調整可能としている。また、上記のパネルとレールとの摺動部分は、電気的に導通可能となっている。
【０００６】
パネルは、引き出し過程で、長孔の有る範囲で水平方向に移動するが、ある位置からストッパの小径部の長さの範囲内でパネルの後方部分の浮き上がりによって前方部分で下向き方向に傾き、やがて長孔に対するストッパの頭部の当接によって、適切な傾き状態で停止する。これによって、作業者は、パネルの奥の部分に取り付けられている機器や回路の保守・点検を容易に行える状態となる。引き出し状態でのパネルの傾きは、パネルに対するストッパのねじ込みにより調節できる。パネルとレールとが導電性メッキなどにより電気的に導通しておれば、パネルと制御盤（ボックス）のグランドが共通になるため、電気的なグランド処理が容易に行える。
【０００７】
【発明の実施の形態】
図１ないし図４は、本発明の制御盤１を示している。制御盤１は、複数例えば３つのボックス２を組み合わせて構成されている。それぞれのボックス２は、前面開口型で、内部で収納室を形成しており、その前面は、扉４によって開閉可能となっている。
【０００８】
そして、ボックス２は、収納室内の底面３上で例えば断面コ字状の２本のレール５を有しており、このレール５に機器取り付け用のパネル６を載置し、レール５に沿って機器取り付け用のパネル６を引き出し可能な状態で収納している。２本のレール５は、収納室の底面３に対し引き出し方向に溶着などにより取り付けられており、引き出し方向に形成された長孔７および長孔７の奥の位置で丸孔８を一体的に形成している。
【０００９】
また、パネル６は、パネル６の引き出し時の傾きを規制するために、奥側（後方部分）で下向きに突出するように取り付けられた頭付きストッパ９を有している。この頭付きストッパ９は、長孔７に挿入可能な太さの小径部１６と、この小径部１６の下方の先端に設けられ、長孔７から抜けない大きさの頭部１０とから構成されている。小径部１６は、パネル６に下方に突出する状態で取り付けられ、パネル６の長孔７に移動可能な状態で挿入されており、パネル６の下面から頭部１０（頭部１０の座面部）までの長さＬは、レール５の長孔７の部分の厚みより大きい長さとしてある。この例によれば、ストッパ９は、頭付きボルトにより構成されており、小径部１６のねじ部分によって、パネル６に固定されている固定ナット１１に対しねじ込まれ、調整ナット１２により適当なねじ込み量として固定されている。
【００１０】
パネル６は、上記レール５の上に引き出し可能な状態で載置される。この載置時に、ストッパ９の小径部１６および頭部１０は、丸孔８の部分からレール５の下側の空間に挿入され、ストッパ９は、長孔７に沿って移動可能な状態となる。この状態で、頭部１０の上面（座面部）と長孔７の下面との間の距離は、ストッパ９の小径部１６長さＬによって定まり、パネル６の引き出し時にパネル６の傾きを規制する。なお、パネル６の収納状態で、パネル６は、パネル６の前側に形成された孔１４から蝶ボルト１３を挿入し、これをレール５の前端側に形成されているめねじ１５にねじ込むことにより引き出しできないように固定される。
【００１１】
なお、レール５およびパネル６は、亜鉛メッキの鋼板により構成されており、レール５とパネル６との摺動部分は、導電性の亜鉛メッキ層により、電気的に導通可能となっている。
【００１２】
パネル６の上には、各種の制御用の機器が取り付けられ、電気コードにより扉４に取り付けられた計器や他のボックス２に取り付けられた機器に接続される。パネル６がボックス２の内部に納められているとき、蝶ボルト１３がレール５のめねじ１５にねじ込まれているため、パネル６は、ボックス２の底面３の内部で動かない状態で固定されている。
【００１３】
パネル６の内部の制御用の機器の保守・点検時に、作業者は、蝶ボルト１３をゆるめて、取り外すことにより、パネル６をレール５に沿って移動可能な状態としてから、そのパネル６をボックス２の内部から引き出す。このとき、パネル６は、レール５の上を摺動し、水平な状態で引き出される方向に移動するが、ほぼ半分以上引き出されると、パネル６の後方部分の浮き上がりによって、パネル６の裏面とレール５の前端との当接位置を中心として下向きの方向に傾き始める。このときのパネル６傾きは、頭部１０の上面（座面部）と長孔７の下面との当接により規制される。パネル６が完全に引き出されたとき、パネル６の下向きへの傾きは、最大となる。なお、パネル６の引き出し量は、長孔７の手前側への延長量によって決定される。
【００１４】
パネル６の傾きは、長孔７に対するストッパ９の頭部１０の当接によって規制できるから、固定ナット１１に対するストッパ９のねじ込み量、つまり長さＬを調整ナット１２で加減することによって調節できる。このようなパネル６の傾き状態によって、作業員は、パネル６の奥の部分に取り付けられている機器や回路を手前に引き寄せ、かつ作業し易い状態で点検を行える状態となる。このパネル６の傾きによって、パネル６が作業者の目の位置よりも高い位置に取り付けられていても、水平な引き出し方式のものに比較して、パネル６の奥部の視認が容易となる。
【００１５】
また、ボックス２の内部でのパネル６の固定状態のほか、ボックス２からのパネル６の引き出し状態でも、レール５とパネル６との摺動部分により、レール５とパネル６とが電気的に導通しておれば、パネル６の上の機器と制御盤１のグランドとが共通になるため、グランド処理などによる回路構成が容易となる。
【００１６】
なお、レール５は、平行な２本として構成せず、例えば中央部分の１本のみで構成することもできる。レール５を１本のみで構成した場合、パネル６が左右に傾き易いため、左右の傾きを規制する補助的なレールをボックス２内の左右に設けることによって解決できる。
【００１７】
【発明の効果】
本発明では、単純な構成のレールおよびストッパによって、パネルの引き出し状態で、パネルが下向き方向に傾くため、パネル上の機器の奥側の部分の保守・点検の作業性が改善できる。また、ストッパのねじ込み量を調整することによって、傾き角度が簡単に調節できるため、パネルの引き出し位置の高さに応じて、適切な傾き角度が設定できる。さらに、パネルとレールとの摺動部分が電気的に導通可能となっておれば、パネル上の機器と制御盤（ボックス）のグランドが共通になるため、電気的な処理が容易となる。
【図面の簡単な説明】
【図１】  本発明の制御盤の正面図である。
【図２】  機器取り付け用のパネルの取り付け状態での拡大水平断面図である。
【図３】  機器取り付け用のパネルの取り付け状態での拡大垂直断面図である。
【図４】  機器取り付け用のパネルの引き出し状態での拡大垂直断面図である。
【符号の説明】
１  制御盤
２  ボックス
３  底面
４  扉
５  レール
６  パネル
７  長孔
８  丸孔
９  ストッパ
１０  頭部
１１  固定ナット
１２  調整ナット
１３  蝶ボルト
１４  孔
１５  めねじ
１６  小径部
Ｌ  長さ
【図１】
0003865352.tif 000002
【図２】
0003865352.tif 000003
【図３】
0003865352.tif 000004
【図４】
0003865352.tif 000005